(57)【要約】      （修正有）【課題】  長時間座っている間に、自己の体型にあった背当て体を背中に当てて座ることによって、背筋が伸びて健康によい状態にし、また、肘掛け椅子にマッサージ器を取り付けることによって、身体の状態を快適にし、更には、肘当ての高さを高くしたり、低くしたりして楽な姿勢で座りくつろぐことを提供する。【解決手段】  肘掛け椅子において、背もたれ部１の任意箇所に複数個の面ファスナー２を当着させ、かつ、背当て体３の背部の適所に面ファスナー２を当着させたものである可変動肘掛け椅子である。また、携帯バイブレーターの背面に面ファスナーを当着させ、背もたれ部に設けた面ファスナーに圧着させて用いるものである。更に、肘掛け部の上面に面ファスナーを当着させると共に、肘掛け体の背面に面ファスナーに圧着させ、前記肘掛け体の上面に圧着して用いるものである。【選択図】  図２
2005066271.tif 000002
【特許請求の範囲】
【請求項１】
肘掛け椅子において、背もたれ部（１）の任意箇所に複数個の面ファスナー（２）、（２）を当着させ、かつ、背当て体（３）、（３）の背部の適所に面ファスナー（２）、（２）を当着させたものである可変動肘掛け椅子。
【請求項２】
携帯バイブレーター（４）、（４）の背面に面ファスナー（２）、（２）を当着させ、背もたれ部１に設けた面ファスナー（２）、（２）に圧着させて用いるものである請求項１記載の可変動肘掛け椅子。
【請求項３】
肘掛け部（５）、（５）の上面に面ファスナー（２）、（２）を当着させると共に、肘乗せ体（６）、（６）の背面に面ファスナー（２）、（２）に当着させ、前記肘掛け部（５）、（５）の上面に圧着して用いるものである請求項１、２記載の可変動肘掛け椅子。
【発明の詳細な説明】
【発明の詳細な説明】
【技術分野】
【０００１】  本発明は、肘掛け椅子の背もたれ部や肘掛け部に、面ファスナーを当着して、肘掛け椅子の用途を多目的なものにできる可変動肘掛け椅子に関する。
【背景技術】
【０００２】  従来から肘掛け椅子は、椅子の中でも上級な椅子として取り扱われ、両腕肘を肘掛けの上に乗せることができ、ゆったりとくつろいで座ることのできる椅子として重宝されてきた。従って、会社などでは応接室や社長室などに置かれ、来客用の椅子として用いられることが多かった。また、茶の間などにも置かれることが多くあり、茶を飲んだり、テレビを見たりするなど、比較的に長時間座っていることに使用されていた。
【発明が解決しようとする課題】
【０００３】  肘掛け椅子は、従来の技術で述べたように、椅子に設けられている肘掛けの上に両腕肘を乗せて、ゆったりとくつろげる椅子として使用されているが、長時間座り続けるとなると、いろいろな問題が生じてくる。とりわけ、高齢者や身体障害者などが座ることになると、自己の体型に一番よい姿勢で座ることが必要になる。本発明は、このような高齢者や身体障害者などの要求に答えようとするものである。それには、長時間座っている間に、自己の体型にあった背当て体３、３を背中に当てて座ることによって、背筋が伸びて健康によい状態にするという課題や、
【０００４】  また、背中をマッサージを受けることによって、身体の状態が快適にしたいという人には、肘掛け椅子にマッサージ器を取り付けることによって、その目的を果たすことができるという課題や、
【０００５】  更には、楽な姿勢で座りくつろぐには、椅子の肘受けの高さが気になるので、肘当ての高さを、高くしたり、低くしたりするという課題を有していた。本発明は、従来の技術のかかる課題の解消を図るために開発したものであり、特に、高齢者や身体障害者などが、長時間自己の健康に一番都合のよい状態で座ることできる可変動肘掛け椅子を提供しようとするものである。
ちなみに、本発明の出願に当たり、本発明と同様の先行技術があるか否かについて、特許文献や商品カタログなどを丹念に調査したが、同様若しくは類似するものは一つも見当らなかった。
【課題を解決するための手段】
【０００６】  上記目的を達成するために、本発明における可変動肘掛け椅子は、次のような構成としている。
【請求項１】
肘掛け椅子において、背もたれ部１の任意箇所に複数個の面ファスナー２、２を当着させ、かつ、別誂えによる背当て体３、３の背部の適所に面ファスナー２、２を当着させたものである可変動肘掛け椅子。
【請求項２】
【０００７】  携帯バイブレーター４、４の背面に、面ファスナー２、２を当着させ、背もたれ部１に設けた面ファスナー２、２の上に、圧着させて用いるものである請求項１記載の可変動肘掛け椅子。
【請求項３】
【０００８】  肘掛け部５、５の上面に面ファスナー２、２を当着させると共に、肘乗せ体６、６の背面に面ファスナー２、２に当着させ、前記肘掛け部５、５の上面に圧着して、肘掛け部５、５の高さを調整して用いるものである請求項１記載の可変動肘掛け椅子。
【実施例】
【０００９】  以下、本発明の実施例を図面を参照に説明する。
図１〜図３に示すものは、請求項１に関するものである。図１は、背もたれ部１に面ファスナー２、２を当着させた斜視図である。背もたれ部１の任意箇所に複数個の面ファスナー２、２を当着させてある。図２は、背当て体３、３を背もたれ部１に設けた面ファスナー２、２に圧着させた斜視図である。背当て体３、３の背面に面ファスナー２、２を当着させてあるので、背もたれ部１に設けた面ファスナー２、２に圧着させると、背当て体３、３を背もたれ部１の任意箇所に取り付けることができる。図３は、背もたれ部１に当設する背当て体３、３を、大小の複数にした斜視図である。【００１０】  本実施例では、背もたれ部１の任意箇所に複数個の面ファスナー２、２を当着させてあるので、背当て体３、３の背面に面ファスナー２、２を当着させておくと、背当て部１の任意の箇所に、背当て体３、３を圧着させることができる。本発明は、以上のように構成されているので、自己の好みの位置に背当て体３、３を圧着できるので、背当て体３、３によって座る人の背中に快適な指圧効果が得られる。本発明によると、背当て体３、３を自己の背中の一番当てたい位置に当着できるので、じっと座り続けるだけで身体に一番よい状態の指圧になり、健康体を維持するのに最もよい椅子にすることができる。【００１１】  図４に示すものは、請求項２に関するものである。図４は、背もたれ部１の任意箇所に複数個の携帯バイブレーター４、４を圧着させた斜視図である。携帯バイブレーター４、４の背面には、面ファスナー２、２を当着させてあり、また、背もたれ部１には面ファスナー２、２を当着させてあるので、携帯バイブレーター４、４を圧着させただけで、肘掛け椅子１は電動の携帯バイブレーター４、４付き肘掛け椅子１に変身させることができる。本発明では、携帯バイブレーター４、４の圧着させる位置は、背もたれ部１に設けた面ファスナー２、２の上であればどこでもよいので、自己の背中の一番マッサージを受けたい箇所を選んで携帯バイブレーター４、４を圧着させることで、最も適切なマッサージを受けることできる。【００１２】  図５に示すものは、請求項３に関するものである。図５は、肘掛け部５、５の上面に面ファスナー２、２を当着させた斜視図である。本発明では、別誂えで高低差のある複数の肘乗せ体６、６を用意し、この肘乗せ体６、６の底面に面ファスナー２、２を当着させてある。従って、本発明を用いるには、肘乗せ体６、６を自己の体型に合った状態の高さに調節して圧着して用いれば、より安楽な姿勢で腰掛けられることになる。また、長時間座り続けても疲れることが少ない。一人ひとりの体型の違いに合わせて肘掛けの高さを調整できるので、どのような人も合わせることのできる肘掛け椅子にすることができる。
【発明の効果】
【００１３】  本発明は上複数個の面ファスナー２、２を上記のとおり構成されているので、次に記載する効果を奏する。
１．請求項１記載の発明にあっては、背当て体３、３の高さを自己の好みの位置に、極めて容易で簡単に圧着でき、その背当て体３、３は、背筋を正常に伸ばし背骨に指圧効果を与えて健康体回復効果を発揮し、肘掛け椅子を健康椅子として変身させ、大変便利で重宝な肘掛け椅子にすることができる。
【００１４】２．請求項２記載の発明にあっては、一般的な肘掛け椅子が、携帯バイブレーター４、４を肘掛け椅子の背もたれ部１に設けた面ファスナー２、２に圧着するだけという、極めて容易で簡単な操作で、電動椅子に大変身させることができ、背中の疲れているところをマッサージ効果により、全身の血行促進を促し健康快復を図ることのできる肘掛け椅子を提供できる。
【００１５】３．請求項３記載の発明にあっては、肘乗せ体６、６を自己の体型に合った状態の高さに調節して圧着して用いれば、より安楽な姿勢で腰掛けられ、長時間座り続けても疲れることが少ない肘掛け椅子とすることができる。肘乗せ体６、６を肘掛け部５、５の上に乗せるだけという極めて容易で簡単な操作で、一人ひとりの体型の違いに合わせて肘掛けの高さを調整できるので、どのような体型の人にも合わせることのできる大変重宝な肘掛け椅子に変えることができる。
【図面の簡単な説明】
【００１６】
【図１】  背もたれ部１に、面ファスナー２、２を当着させた斜視図である。
【図２】  背当て体３、３を面ファスナー２、２で圧着させた斜視図である。
【図３】  背もたれ部１に当設する背当て体３、３を、大小の複数にした斜視図である。
【図４】  背もたれ部１に、携帯バイブレーター４、４を圧着させた斜視図である。
【図５】  肘掛け部５、５の上面に、面ファスナー２、２を当着させた斜視図である。
【符号の説明】
（１）    は    背もたれ部
（２）    は    面ファスナー
（３）    は    背当て体
（４）    は    携帯バイブレーター
（５）    は    肘掛け部
（６）    は    肘乗せ体
【図１】
2005066271.tif 000003
【図２】
2005066271.tif 000004
【図３】
2005066271.tif 000005
【図４】
2005066271.tif 000006
【図５】
2005066271.tif 000007